(57)【要約】【課題】構造が簡素で、二次電池または電気部品の取出しを容易に行なうことができ、長期間にわたって二次電池または電気部品の接続を良好に保持することができる二次電池または電気部品の取付構造を提供する。【解決手段】破断片部１８１６は、第１スリット１８１８と、第２スリット１８２０とを介してフレキシブル基板１８に対して区画されている。各第２スリット１８２０の先端と一辺との間が、破断片部１８１６とフレキシブル基板１８とを接続する短い長さの接続領域１８２２となっている。接続領域１８２２の幅および長さは、破断片部１８１６に所定の外力が作用した時に容易に破断される程度に設定されている。破断片部１８１６には、二次電池２２の電極を電気的に接続するための２つの接続孔が該破断片部の長手方向に間隔をおいて貫通して設けられている。【選択図】　　　　図１
2004022451.tif 000002
【特許請求の範囲】
【請求項１】
フレキシブル基板と、前記フレキシブル基板に取着され該フレキシブル基板に対して電気的に接続された二次電池とを有する二次電池取付構造であって、
前記フレキシブル基板に該フレキシブル基板に対して容易に破断される破断片部が設けられ、
前記二次電池は前記破断片部に取着されている、
ことを特徴とする二次電池取付構造。
【請求項２】
前記破断片部は前記フレキシブル基板に対して破断され易いようにスリットを介して区画されていることを特徴とする請求項１記載の二次電池取付構造。
【請求項３】
前記二次電池は、円盤状を呈し、該円盤の高さ方向の一方の面がプラス電極として構成され、高さ方向の他方の面がマイナス電極として構成され、前記プラス電極およびマイナス電極のそれぞれには接続端子が取り外し不能に取着され、前記各接続端子が前記破断片部に連結されることで該二次電池がフレキシブル基板に取着されていることを特徴とする請求項１記載の二次電池取付構造。
【請求項４】
前記フレキシブル基板には、該フレキシブル基板よりも剛性を有する補強板が重ね合わされて取着され、前記補強板には、前記破断片部が破断されやすいように該破断片部に対応した大きさの切欠が設けられていることを特徴とする請求項１記載の二次電池取付構造。
【請求項５】
前記フレキシブル基板には、該フレキシブル基板よりも剛性を有する補強板が重ね合わされて取着され、前記補強板には、前記破断片部が破断されやすいように該破断片部に対応した大きさの切欠が設けられ、前記二次電池は、円盤状を呈し、該円盤の高さ方向の両方の面がそれぞれ電極として構成され、前記電極のそれぞれには接続端子が取り外し不能に取着され、前記二次電池の電極の一方および該電極に取着された接続端子が前記補強板に接着されることで前記二次電池が前記補強板に取着され、前記各接続端子が前記破断片部に連結されることで該二次電池がフレキシブル基板に取着されていることを特徴とする請求項１記載の二次電池取付構造。
【請求項６】
前記フレキシブル基板は、電子機器のケース内に配設され、前記破断片部に臨むケース部分には、前記二次電池を前記ケース外に取出すための開口が設けられ、前記開口は脱着可能な蓋体により閉塞されていることを特徴とする請求項１記載の二次電池取付構造。
【請求項７】
前記蓋体には、前記開口からケース内に挿入され前記二次電池の部分に係止可能な係止凸部が設けられていることを特徴とする請求項１記載の二次電池取付構造。
【請求項８】
フレキシブル基板と、前記フレキシブル基板に取着され該フレキシブル基板に対して電気的に接続された電気部品とを有する電気部品取付構造であって、
前記フレキシブル基板に、該フレキシブル基板に対して容易に破断される破断片部が設けられ、
前記電気部品は前記破断片部に取着されている、
ことを特徴とする電気部品取付構造。
【請求項９】
フレキシブル基板と、前記フレキシブル基板に取着され該フレキシブル基板に対して電気的に接続された電気部品とを有する電気部品取付構造であって、
前記フレキシブル基板に、該フレキシブル基板よりも剛性を有する補強板が重ね合わされて取着され、
前記フレキシブル基板に破断片部が設けられ、
前記破断片部は、その長さ方向の両端が破断されやすい接続領域を介して前記フレキシブル基板に連設され、
前記補強板に、前記接続領域、破断片部を該補強板上に臨ませる大きさの切欠が設けられ、
前記電気部品は前記補強板に取着され、かつ、前記電気部品の接続端子は前記破断片部に取着されている、
ことを特徴とする電気部品取付構造。
【発明の詳細な説明】
【０００１】
【発明の属する技術分野】
本発明は、電子機器に組み込まれる二次電池または電気部品の取付構造に関する。
【０００２】
【従来の技術】
近年、各国において電池のリサイクルに対する法律が施行され、電子機器を廃棄する際に該電子機器に組み込まれた電気部品、例えば、バックアップ用の二次電池を、ユーザーが電子機器から簡単に取り外して分別することができる構造が求められている。
特開平６−１５０８９８号公報には、二次電池を半田付けすることなく、圧接により保持する構造が開示されている。このような構造では、半田付けしていないため、二次電池自体の交換、取り外しが可能となっている。
また、特開平２−１０６５１号公報には、二次電池の端子を組み込み時に半田付けする構造が開示されており、廃棄の際、二次電池を基板ごと折って取り外すことが提案されている。また、特開平２−１０６５１号公報には、二次電池の端子に半田付けされたリード線を、電子機器の本体外に取り出してこのリード線を切ることで二次電池を取り外すことが提案されている。
【０００３】
【発明が解決しようとする課題】
しかしながら、上述した二次電池を圧接で保持する構造では、この構造自体が複雑で大きくなるだけでなく、長期の使用時における二次電池の接触不良などの不具合が生じる問題があった。
また、基板ごと折って取り外す構造では、電子機器に組み込まれた状態の基板を折りづらいという問題があった。また、基板が折り取り可能な構造となっているので、基板の折り取る部分が簡単に折れてしまうため、組立作業中などに基板を誤って折ってしまわぬよう注意しなければならないという問題があった。
また、リード線を切断する構造では、二次電池にリード線を接続するために二次電池を電子機器の内部に組み込む際の作業性が悪いだけでなく、リード線取り出し用のガイド等を設ける必要があり、構造が複雑になるという問題があった。本発明は、このような実状に鑑みてなされたものであり、構造が簡素で、二次電池または電気部品の取出しを容易に行なうことができ、長期間にわたって二次電池または電気部品の接続を良好に保持することができる二次電池または電気部品の取付構造を提供することを目的とする。
【０００４】
【課題を解決するための手段】
本発明の二次電池取付構造は上記目的を達成するため、フレキシブル基板と、前記フレキシブル基板に取着され該フレキシブル基板に対して電気的に接続された二次電池とを有する二次電池取付構造であって、前記フレキシブル基板に該フレキシブル基板に対して容易に破断される破断片部が設けられ、前記二次電池は前記破断片部に取着されていることを特徴とする。
また本発明の電気部品取付構造は、フレキシブル基板と、前記フレキシブル基板に取着され該フレキシブル基板に対して電気的に接続された電気部品とを有する電気部品取付構造であって、前記フレキシブル基板に、該フレキシブル基板に対して容易に破断される破断片部が設けられ、前記電気部品は前記破断片部に取着されていることを特徴とする。
また本発明の電気部品取付構造は、フレキシブル基板と、前記フレキシブル基板に取着され該フレキシブル基板に対して電気的に接続された電気部品とを有する電気部品取付構造であって、前記フレキシブル基板に、該フレキシブル基板よりも剛性を有する補強板が重ね合わされて取着され、前記フレキシブル基板に破断片部が設けられ、前記破断片部は、その長さ方向の両端が破断されやすい接続領域を介して前記フレキシブル基板に連設され、前記補強板に、前記接続領域、破断片部を該補強板上に臨ませる大きさの切欠が設けられ、前記電気部品の本体は前記補強板に取着され、かつ、前記電気部品の接続端子は前記破断片部に取着されていることを特徴とする。
そのため、本発明によれば、破断片部をフレキシブル基板から破断することによって二次電池または電気部品を破断片部とともにフレキシブル基板から容易に切り離すことができる。
【０００５】
【発明の実施の形態】
以下、本発明による二次電池または電気部品の取付構造の実施の形態を図面に基づいて詳細に説明する。
図２は本発明の二次電池取付構造が適用された電子スチルカメラを底面から見た斜視図である。図３は二次電池取付構造の分解斜視図である。
電子スチルカメラ１００は、高さと左右方向の幅と前後方向の長さを有する箱状のケース１０と、前記ケース１０の前部に設けられた鏡筒１２およびフラッシュ１４と、前記ケース１０の底部に設けられた二次電池取付部１６とを備えている。
図１に示すように、前記二次電池取付部１６は、電子スチルカメラのデータのバックアップを行なう際の電力を供給する二次電池２２を取付けるものであり、二次電池取付部１６は、本実施の形態では、フレキシブル基板１８、破断片部１８１６、補強板２０などにより構成されている。
【０００６】
前記二次電池取付部１６は、前記ケース１０の内部でケース１０の底壁１００２上に配設されている。
そして、二次電池取付部１６に取着された二次電池２２を取り外せるように、図３に示すように、前記ケース１０の底壁１００２には開口１００４が形成されている。
前記開口１００４には蓋体２４が取着されている。前記蓋体２４は、前記開口１６０６を閉塞する矩形板状の板部２４０２と、該板部２４０２の縁部に設けられた複数の係合爪２４０４とを有して構成され、これら係合爪２４０４が前記開口１６０６の縁に係合することによって、開口１６０６に係脱可能に取着されている。
【０００７】
前記フレキシブル基板１８は、容易に変形されるように可撓性を有して構成され、図１（Ａ）に示すように矩形板状に形成されている。
前記破断片部１８１６は、前記フレキシブル基板１８の隅部寄りの一辺に設けられている。
前記破断片部１８１６は、前記一辺と平行して延在する第１スリット１８１８と、該第１スリット１８１８の長手方向両端から前記一辺側に延在する両端の第２スリット１８２０とを介してフレキシブル基板１８に対して区画されている。したがって、本実施の形態では、各第２スリット１８２０の先端と前記一辺との間が、前記破断片部１８１６とフレキシブル基板１８とを接続する短い長さの接続領域１８２２となっており、前記破断片部１８１６は、その長さ方向の両端が破断されやすい接続領域１８２２を介してフレキシブル基板１８に連設されていることになる。なお、前記接続領域１８２２の幅および長さは、前記破断片部１８１６に所定の外力が作用した時に容易に破断される程度に設定されている。
前記破断片部１８１６には、前記二次電池２２のプラス電極とマイナス電極を電気的に接続するための２つの接続孔１８１２、１８１２が該破断片部の長手方向に間隔をおいて貫通して設けられている。前記破断片部１８１６およびフレキシブル基板１８には、前記各接続孔１８１２、１８１２に接続された不図示の配線部が設けられており、該配線部を介して前記二次電池２２の電力供給が前記ケース１０内に組み込まれた不図示の被バックアップ回路になされるように構成されている。
【０００８】
前記補強板２０は、ほぼ矩形板状に構成され、容易に変形しないように前記フレキシブル基板１８よりも高い剛性を有して構成されている。本実施の形態では前記補強板２０はガラスエポキシ基板で構成されている。
前記補強板２０は、前記フレキシブル基板１８に重ね合わされ、接着剤などにより取着されている。
【０００９】
図５、図６に示すように、前記補強板２０が前記フレキシブル基板１８に取着された状態で、フレキシブル基板１８の破断片部１８１６、スリット１８１８および接続領域１８２０が補強板２０の表面に露出するように、補強板２０には切欠２０１０が設けられている。
また、フレキシブル基板１８と補強板２０とにわたり取付孔２０１２が貫通形成されている。
【００１０】
前記二次電池２２は、円盤状の本体２２０２を有し、該本体２２０２の上面側にはプラス電極２２０４が、下面側にはマイナス電極２２０６が設けられている。
そして、前記プラス電極２２０４、マイナス電極２２０６には、それぞれ導電性を有する部材で形成された接続端子２２０８、２２１０が設けられている。
前記接続端子２２０８、２２１０は、それぞれ前記プラス電極２２０４、マイナス電極２２０６に溶接などで取り外し不能に取着される帯板状の板部２２１２と、該板部２２１２の一端から屈曲された端子ピン２２１４とを備えて構成されている。
【００１１】
図７に示すように、前記接続端子２２０８、２２１０の端子ピン２２１４、２２１４が前記フレキシブル基板１８の接続孔１８１２、１８１２にそれぞれ挿入され、半田付けされることにより、前記二次電池２２とフレキシブル基板１８が取り外し不能に接続されている。
そして、前記本体２２０２または接続端子２２１０が接着テープなどにより前記補強板２０に接着されることにより、前記二次電池２２が前記補強板２０に取着されている。
これにより、前記二次電池２２は、前記補強板２０およびフレキシブル基板１８に対して移動不能に固定されることになる。
【００１２】
前記フレキシブル基板１８および補強板２０の組付は、図３に示すように、取付部材１００８に設けられた軸部を前記取付孔２０１２、１８１０に挿通させ、前記軸部とフレキシブル基板１８および補強板２０とを接着剤などで固定し、前記取付部材１００８を前記ケース１０の内部の不図示のカメラ本体にねじ１０１０で取着することによって行なわれる。
この状態で、前記二次電池２２、破断片部１８１６は、前記開口１００４に臨んだ位置に配設されている。
【００１３】
なお、本実施の形態においては、前記フレキシブル基板１８の破断片部１８１６、第１、第２スリット１８１８、１８２０、接続領域１８２２、補強板２０、補強板２０の切欠２０１０によって二次電池取付構造が構成されている。
【００１４】
次に、電子スチルカメラを廃棄処分する際に、前記二次電池を取り外す場合について説明する。
図８に示すように、マイナスドライバ２の先端を、前記本体１０の開口１００４の縁部と前記蓋体２４の間の隙間に差し込んでこじることにより、図９に示すように、蓋体２４が開口１００４から外れる。
前記蓋体２４が取り外された状態で、前記二次電池２２、切欠２０１０、切取り領域１８１６、第１、第２スリット１８１８、１８２０および接続領域１８２２が前記開口１００４を介してケース１０の外方に臨んだ状態となる。
【００１５】
次に、図７、図９に示すように、前記マイナスドライバ２の先端を開口１００４から差し込んで、前記二次電池２２のマイナス電極２２０６側に挿入する。
そして、前記マイナスドライバ２の中間箇所を前記開口１００４の縁部に当てることにより前記中間箇所を支点としてマイナスドライバ２を揺動させ、マイナスドライバ２の先端で二次電池２２のマイナス電極２２０６側を補強板２０から離れる方向に押し上げる。
これにより、前記二次電池２２および接続端子２２１０が前記補強板２０から剥がされ、二次電池２２および接続端子２２０８、２２１０が補強板２０から離間した状態となる。
さらに補強板２０から離れる方向に二次電池２２を持ち上げると、二次電池２２の接続端子２２０８、２２１０が破断片部１８１６に取着されているので、前記破断片部１８１６は、その長さ方向の両端の接続領域１８２２を支点として図１（Ａ）の矢印方向に回転し、これにより接続領域が破断される。
あるいは、前記二次電池２２および接続端子２２１０を前記補強板２０から剥がした状態から、マイナスドライバ２の先端を第１スリット１８１８あるいは第２スリット１８２０に入れ、破断片部１８１６を揺動させ、この揺動の際に破断片部１８１６に加わった外力を前記接続領域１８２２に伝え、これにより前記接続領域１８２２を破断するようにしてもよい。
図１（Ｂ）、図１０に示すように、前記接続領域１８２２が破断されると、前記破断片部１８１６とともに、二次電池２２が前記フレキシブル基板１８から切断され、前記二次電池２２を破断片部１８１６とともに開口１００４からケース１０の外部に取出すことができる。
【００１６】
以上説明したように、本実施の形態の二次電池取付構造によれば、前記フレキシブル基板１８に該フレキシブル基板１８に対して容易に破断される破断片部１８１６が設けられ、前記二次電池２２が前記破断片部１８１６に取着された構成とした。
したがって、前記フレキシブル基板１８と補強板２０といった少ない点数の部品で簡素に構成することができる。
また、前記二次電池２２を前記破断片部１８１６とともにフレキシブル基板１８から容易に切断することができるので、二次電池２２の取出しを容易に行なう上で有利である。
また、前記二次電池２２は、前記接続端子２２０８、２２１０を介してフレキシブル基板１８に取り外し不能に接続されているので、長期間にわたって二次電池２２の接続を良好に保持することができる。
また、本実施の形態では、前記フレキシブル基板１８に補強板２０を重ね合わせて取着し、この補強板２０も二次電池２２の部分を取付けるようにしたので、二次電池２２をより強固に支持する上で有利となっており、また、補強板２０の縁を利用することで破断片部１８１６の破断を容易に行なえ、二次電池２２を容易に取り外す上で有利となっている。
また、前記フレキシブル基板１８に補強板２０が重ね合わされて取着されることにより、前記破断片部１８１６が補強板２０によって保護されるので、組立作業時などにおける破断片部１８１６の破損を防止する上で有利である。
【００１７】
本実施の形態では、前記二次電池２２に力を加えるために、マイナスドライバ２を用いたが、以下に説明するように蓋体２４を用いることもできる。
すなわち、図３に示すように、前記板部２４０２の外縁に外方に突出する係止凸部２４０６を設け、この係止凸部２４０６を二次電池２２を取外す際に用いる。
すなわち、図１１、図１２に示すように、前記蓋体２４の係止凸部２４０６を開口１００４から差し込んで、前記二次電池２２のマイナス電極側に挿入し、この係止凸部２４０６により二次電池２２のマイナス電極側を補強板２０から離れる方向に押し上げる。
さらに補強板２０から離れる方向に二次電池２２を持ち上げることにより、前記破断片部１８１６を、その長さ方向の両端の接続領域１８２２を支点として回転させ、これにより接続領域を破断する。
あるいは、前記二次電池２２および接続端子２２１０を前記補強板２０から剥がした状態から、係止凸部２４０６を第１スリット１８１８あるいは第２スリット１８２０に入れ、破断片部１８１６を揺動させ、これにより前記接続領域１８２２を破断するようにしてもよい。
このように係止凸部２４０６を有する蓋体２４により、前記二次電池２２を破断片部１８１６とともに開口１００４からケース１０の外部に取出すことができる。
【００１８】
なお、本実施の形態では、フレキシブル基板１８に該フレキシブル基板１８よりも剛性を有する補強板２０が重ね合わされて取着された構成としたが、本発明は補強板２０が設けられていない構成にも適用可能であることは勿論である。
また、本実施の形態では、前記破断片部１８１６がフレキシブル基板１８に対して破断され易いように第１、第２スリット１８１８、１８２０を用いたが、前記第１、第２スリット１８１８、１８２０を用いずに、例えば、肉厚を薄くした肉薄部により破断片部１８１６を区画するようにしてもよく、破断片部１８１６を破断されやすくするための構成は種々考えられる。
また、本実施の形態では、二次電池について述べたが、本発明は一次電池やカメラのフラッシュ用のコンデンサなど種々の電気部品の取付に無論適用可能である。
【００１９】
【発明の効果】
以上説明したように本発明によれば、構造が簡素で、二次電池または電気部品の取出しを容易に行なうことができ、長期間にわたって二次電池または電気部品の接続を良好に保持することができる二次電池または電気部品の取付構造を提供することができる。
【図面の簡単な説明】
【図１】（Ａ）二次電池が取着された状態を示す二次電池取付構造の斜視図、（Ｂ）二次電池が取り外された状態を示す二次電池取付構造の斜視図である。
【図２】本発明の二次電池取付構造が適用された電子スチルカメラを底面から見た斜視図である。
【図３】二次電池取付構造の分解斜視図である。
【図４】フレキシブル基板に補強板が取着された状態を示す平面図である。
【図５】二次電池取付構造の要部を示す平面図である。
【図６】図５のＡ矢視図である。
【図７】図５のＢＢ線断面図である。
【図８】蓋体の取り外し動作を示す斜視図である。
【図９】二次電池を取り外す際の動作を示す斜視図である。
【図１０】二次電池が取り外された状態を示す斜視図である。
【図１１】蓋体を用いて二次電池を取り外す動作を示す説明図である。
【図１２】蓋体を用いて二次電池を取り外す動作を示す斜視図である。
【符号の説明】
１６……二次電池取付部１６、１８……フレキシブル基板、１８１２、１８１４……接続孔、１８１６……破断片部、１８１８……第１スリット、１８２０……第２スリット、１８２２……接続領域、２０……補強板、２２１０……切欠、２２……二次電池、２２０８、２２１０……接続端子、２４……蓋体、２４０６……係止凸部。
【図１】
2004022451.tif 000003
【図２】
2004022451.tif 000004
【図３】
2004022451.tif 000005
【図４】
2004022451.tif 000006
【図５】
2004022451.tif 000007
【図６】
2004022451.tif 000008
【図７】
2004022451.tif 000009
【図８】
2004022451.tif 000010
【図９】
2004022451.tif 000011
【図１０】
2004022451.tif 000012
【図１１】
2004022451.tif 000013
【図１２】
2004022451.tif 000014